(57)【特許請求の範囲】
【請求項１】
カソードおよびこのカソードから蛍光体スクリーン方向に順次配置された第１乃至第６電極を有し、上記カソードおよび第１、第２電極により電子ビーム発生部、上記第２、第３電極により上記電子ビーム発生部からの電子ビームを予備集束するプリフォーカスレンズ、上記第３乃至第５電極により上記プリフォーカスレンズにより予備集束された電子ビームをさらに予備集束するサブレンズおよび上記第５、第６電極により上記サブレンズにより予備集束された電子ビームを最終的に上記蛍光体スクリーン上に集束する主レンズを形成する電子銃を備え、この電子銃から放出される電子ビームを偏向装置の発生する水平、垂直偏向磁界により偏向して上記蛍光体スクリーンを走査する陰極線管において、
上記第２電極には上記第１電極側の面に形成された円形孔とこの円形孔を取囲むように第３電極側の面に形成された垂直方向よりも水平方向に長い横長孔とからなる電子ビーム通過孔が形成され、この横長孔からなる電子ビーム通過孔により上記プリフォーカスレンズは前記偏向装置の発生する磁界により生じる垂直方向の偏向収差を軽減する作用をもち、上記第３電極の第４電極側の面、第４電極および第５電極の第４電極側の面には垂直方向よりも水平方向に長い横長孔からなる電子ビーム通過孔が形成され、これら横長孔からなる電子ビーム通過孔により上記サブレンズは水平方向の焦点距離が垂直方向よりも長い非点収差をもち、上記第５電極の第６電極側の面および第６電極の第５電極側の面には水平方向よりも垂直方向に長い縦長孔からなる電子ビーム通過孔が形成され、これら縦長孔からなる電子ビーム通過孔により上記主レンズは垂直方向の焦点距離が水平方向よりも長い非点収差をもち、上記電子銃全体では垂直方向の焦点距離が水平方向よりも長い非点収差をもつ構造に形成されていることを特徴とする陰極線管。
【発明の詳細な説明】
【０００１】
【産業上の利用分野】
この発明は、カラー受像管などの陰極線管に係り、特に画面全面にわたり高解像度が得られる電子銃を備える陰極線管に関する。
【０００２】
【従来の技術】
一般にカラー受像管は、電子銃から放出される３電子ビームを偏向装置の発生する水平、垂直偏向磁界により偏向し、シャドウマスクを介して蛍光体スクリーンを水平、垂直走査することにより、この蛍光体スクリーン上に画像を表示する構造に形成されている。特に現在は、電子銃を同一水平面上を通る一列配置の３電子ビームを放出するインライン型とし、この電子銃から放出される一列配置の３電子ビームを、図５（ａ）に示すピンクッション形水平偏向磁界１Ｈ  、および同（ｂ）に示すバレル形垂直偏向磁界１Ｖ  からなる偏向装置の発生する非斉一磁界により偏向することにより蛍光体スクリーン上に集中するセルフコンバーゼンス・インライン型カラー受像管が主流となっている。
【０００３】
ところで、このカラー受像管では、下記２つの収差（偏向収差）が問題となる。その１つは、偏向装置の発生する磁界が水平偏向磁界１Ｈ  をピンクッション形、垂直偏向磁界１Ｖ  をバレル形とする非斉一磁界であるために生ずる収差で、蛍光体スクリーンの周辺部に偏向される電子ビームは、水平方向には発散作用を受けてアンダーフォーカス状態となり、垂直方向には集束作用を受けてオーバーフォーカス状態となる。他の１つは、電子銃から蛍光体スクリーンまでの距離が電子ビームの偏向の増大にともなって大きくなるために生ずる収差で、蛍光体スクリーンの周辺部のビームスポットは、水平、垂直方向ともにオーバーフォーカス状態となる。
【０００４】
したがってこの２つの収差により、蛍光体スクリーン中央部でのビームスポットを真円とした場合、周辺部のビームスポットは、水平方向には、非斉一磁界の発散作用によるアンダーフォーカスと電子銃から蛍光体スクリーンまでの距離の増大によるオーバーフォーカスとが補償される。しかし垂直方向には、非斉一磁界の集束作用によるオーバーフォーカスと電子銃から蛍光体スクリーンまでの距離の増大によるオーバーフォーカスとのために、いちじるしくオーバーフォーカス状態となる。その結果、水平方向と垂直方向とで非点収差が生じ、図６に示すように、画面周辺部のビームスポット２は、高輝度のコア部３と低輝度のハロー部４とからなる非円形状に歪み、画面周辺部の解像度をいちじるしく劣化させる。
【０００５】
この画面周辺部の解像度を劣化させるビームスポット２の形状を補正して、画面全面のビームスポット２を均一にする電子銃として、図７に示すクォドラポテャル（Ｑｕａｄｒａ  Ｐｏｔｅｎｔｉａｌ  Ｆｏｃｕｓ）型電子銃が有る。この電子銃は、水平方向に一列配置された３個のカソードＫ、これらカソードＫを各別に加熱する３個のヒーター（図示せず）および上記カソードＫから蛍光体スクリーン方向に順次配置された第１乃至第６グリッドＧ１  〜Ｇ６  からなり、その第２グリッドＧ２  と第４グリッドＧ４  および第３グリッドＧ３  と第５グリッドＧ５  とは、それぞれ接続された構造に形成されている。
【０００６】
その第１、第２グリッドＧ１  ，Ｇ２  はそれぞれ一体化構造の板状電極、第３乃至第６グリッドＧ３  〜Ｇ６  は一体化構造の筒状電極または筒状電極と板状電極の組合わせからなり、これら各グリッドＧ１  〜Ｇ６  には、それぞれ３個のカソードＫに対応して水平方向に３個の電子ビーム通過孔が一列配置に形成されている。その第１グリッドＧ１  の電子ビーム通過孔は真円である。第２グリッドＧ２  の第１グリッドＧ１  側の電子ビーム通過孔は真円であるが、第３グリッドＧ３  側は水平方向に長い横長スリット孔となっている。第３グリッドＧ３  、第４グリッドＧ４  および第５グリッドＧ５  の第４グリッドＧ４  側の電子ビーム通過孔は真円であるが、第５グリッドＧ５  の第６グリッドＧ６  側の電子ビーム通過孔は水平方向よりも垂直方向に長い縦長孔となっている。また第６グリッドＧ６  の第５グリッドＧ５  側の電子ビーム通過孔も水平方向よりも垂直方向に長い縦長孔であるが、第６グリッドＧ６  の蛍光体スクリーン側の電子ビーム通過孔は真円となっている。
【０００７】
この電子銃では、カソードＫおよびこのカソードＫに順次隣接する第１、第２グリッドＧ１  ，Ｇ２  により、カソードＫからの電子放出を制御し、かつ放出された電子を集束して電子ビームを形成する電子ビーム発生部ＧＥが形成され、第２、第３グリッドＧ２  ，Ｇ３  により、上記電子ビーム発生部ＧＥからの電子ビームを予備集束するプリフォーカスレンズＰＬが形成され、第３乃至第５グリッドＧ３  〜Ｇ５  により上記プリフォーカスレンズＰＬにより予備集束された電子ビームをさらに予備集束するサブレンズＳＬが形成され、第５、第６グリッドＧ５  ，Ｇ６  により、上記サブレンズＳＬにより予備集束された電子ビームを最終的に蛍光体スクリーン上に集束する主レンズＭＬが形成される。
【０００８】
この場合、プリフォーカスレンズＰＬは、第２グリッドＧ２  の第３グリッドＧ３  側の電子ビーム通過孔が水平方向に長い横長スリット孔となっているため、電子ビーム発生部ＧＥからの電子ビームを水平方向よりも垂直方向に強く集束し、電子ビームの断面形状を水平方向に長い横長形状とし、垂直方向の偏向収差を軽減する。さらに第３グリッドＧ３  に印加されるフォーカス電圧に対するビームスポットの変化が垂直方向には緩やかに、水平方向には急になる。その後、この電子ビームは、サブレンズＳＬでさらに予備集束され、主レンズＭＬにより最終的に蛍光体スクリーン上に集束されるが、この主レンズは、第５、第６グリッドＧ５  ，Ｇ６  の電子ビーム通過孔が垂直方向に長い縦長孔であるため、垂直方向よりも水平方向の集束作用が強い非点収差を生ずる。
【０００９】
そこで、このような電子銃を有するカラー受像管の画面上のビームスポットの水平、垂直方向に対するフォーカス電圧ついて考察すると、ビームスポットの水平方向については、画面周辺部では、偏向装置の発生する非斉一磁界の発散作用によるアンダーフォーカスと電子銃から蛍光体スクリーンまでの距離の増大によるオーバーフォーカスとが補償されるため、画面中央部および周辺部でのフォーカス電圧は、ほぼ同じとなる。一方、垂直方向については、画面中央部でのフォーカス電圧は、主レンズＭＬの非点収差により水平方向のフォーカス電圧よりも低くなる。しかし画面周辺部では、非斉一磁界による集束作用と蛍光体スクリーンまでの距離の増大によるオーバーフォーカスとによりいちじるしくオーバーフォーカスとなり、水平方向のフォーカス電圧よりも高くなる。しかしプリフォーカスレンズＰＬでの偏向収差の軽減と主レンズＭＬの非点収差とにより、その度合いは軽減される。
【００１０】
したがってフォーカス電圧を水平方向のフォーカス電圧に合せたとすると、垂直方向のフォーカス電圧は、画面中央部ではアンダーフォーカス、画面周辺部ではオーバーフォーカスになるが、フォーカス電圧に対する垂直方向のビームスポットの変化は緩やかなため、ビームスポットの劣化の度合いは小さい。
【００１１】
すなわち、電子銃を上記のように構成し、フォーカス電圧を水平方向のフォーカス電圧に合せることにより、垂直方向のいちじるしいオーバーフォーカスを軽減でき、かつ非点収差によるビームスポットの増大を改良できる。その結果、画面周辺部の解像度の劣化を軽減でき、画面全面でのビームスポットの均一性を改良することができる。
【００１２】
しかし上記のように電子銃を構成すると、つぎのような問題が生ずる。一般に主レンズＭＬに垂直方向よりも水平方向の集束作用が強い非点収差をもたせると、画面中央部でのビームスポットは、水平方向よりも垂直方向径が大きくなる。そのため、主レンズＭＬでの非点収差を大きくすると、垂直方向径が大幅に大きくなり、画面中央部での解像度が劣化する。したがって画面全面でのビームスポットの均一性を良好するためには、第２グリッドＧ２  の電子ビーム通過孔の最適設計が重要となる。
【００１３】
しかし一般に第２グリッドは、厚さが０．２〜０．５ｍｍと薄い板状電極からなるため、このような板厚の薄い電極に横長スリットを形成すると、実質的に水平方向の板厚は、非常に薄くなり、プリフォーカスレンズＰＬの水平方向の球面収差が大きくなる。またサブレンズＳＬの水平方向の球面収差も大きくなる。そのため、上記したように水平方向のフォーカス電圧と画面全面でのビームスポットの均一性を考慮したフォーカス電圧とはほぼ一致するが、完全には一致せず、多少のずれが生ずるので、この球面収差の増大により、水平方向にハローが生じ、解像度が劣化する。
【００１４】
またカラー受像管のサイズや偏向角が大きい場合は、上記横長スリット孔を深くする必要があるが、この横長スリット孔を深くすると、プリフォーカスレンズＰＬやサブレンズＳＬの球面収差が益々大きくなる。さらにフォーカス電圧に対する水平方向のビームスポットの変化が益々急になるため、水平方向のフォーカス電圧と画面全面でのビームスポットの均一性を考慮したフォーカス電圧とのずれにより、水平方向のビームスポットが増大し、解像度が劣化する。
【００１５】
さらに上記のように横長スリット孔を深くすることは、製造上むづかしく、電極精度のばらつきが大きくなる。一般に第２グリッドの電子ビーム通過孔径は、０．３〜０．６ｍｍと小さく、電子ビームが一番細くなる部分であるため、この部分の精度は、フォーカス特性に大きく影響する。したがって上記のように電極精度がばらつくと、フォーカスもばらつき、第２グリッドＧ２  の量産性をいちじるしく低下させる。
【００１６】
【発明が解決しようとする課題】
上記のように、セルフコンバーゼンス・インライン型カラー受像管の画面全面における解像度を良好にする電子銃として、第２グリッドの第３グリッド側の電子ビーム通過孔を垂直方向よりも水平方向に長い横長スリット孔とし、さらに主レンズを形成する第５、第６グリッドの電子ビーム通過孔を水平方向よりも垂直方向に長い縦長孔としたクォドラポテンシャル型電子銃がある。しかしこのように電子銃を構成しても、プリフォーカスレンズやサブレンズの球面収差の増大により水平方向にハローが生じたり、ビームスポットが増大し、解像度が良好にならない。また第２グリッドの製造がむづかしくなり、電極精度のばらつきによるフォーカスのばらつきも生じ、量産性をいちじるしく低下させるなどの問題がある。
【００１７】
この発明は、上記問題点を解決するためになされたものであり、画面周辺部での解像度のいちじるしい劣化を軽減し、画面全面におけるビームスポットの均一性を改良して、画面全面にわたり高解像度が得られる陰極線管を構成することを目的とする。
【００１８】
【課題を解決するための手段】
カソードおよびこのカソードから蛍光体スクリーン方向に順次配置された第１乃至第６電極を有し、カソードおよび第１、第２電極により電子ビーム発生部、第２、第３電極により電子ビーム発生部からの電子ビームを予備集束するプリフォーカスレンズ、第３乃至第５電極によりプリフォーカスレンズにより予備集束された電子ビームをさらに予備集束するサブレンズおよび第５、第６電極によりサブレンズにより予備集束された電子ビームを最終的に蛍光体スクリーン上に集束する主レンズを形成する電子銃を備え、この電子銃から放出される電子ビームを偏向装置の発生する水平、垂直偏向磁界により偏向して蛍光体スクリーンを走査する陰極線管において、第２電極には第１電極側の面に形成された円形孔とこの円形孔を取囲むように第３電極側の面に形成された垂直方向よりも水平方向に長い横長孔とからなる電子ビーム通過孔が形成され、この横長孔からなる電子ビーム通過孔によりプリフォーカスレンズは偏向装置の発生する磁界により生じる垂直方向の偏向収差を軽減する作用をもち、第３電極の第４電極側の面、第４電極および第５電極の第４電極側の面には垂直方向よりも水平方向に長い横長孔からなる電子ビーム通過孔が形成され、これら横長孔からなる電子ビーム通過孔によりサブレンズは水平方向の焦点距離が垂直方向よりも長い非点収差をもち、第５電極の第６電極側の面および第６電極の第５電極側の面には水平方向よりも垂直方向に長い縦長孔からなる電子ビーム通過孔が形成され、これら縦長孔からなる電子ビーム通過孔により主レンズは垂直方向の焦点距離が水平方向よりも長い非点収差をもち、電子銃全体では垂直方向の焦点距離が水平方向よりも長い非点収差をもつ構造とした。
【００１９】
【作用】
上記のように、カソードおよび第１乃至第６電極を有する電子銃の第２電極の第３電極側の面に垂直方向よりも水平方向に長い横長孔とからなる電子ビーム通過孔を形成して、プリフォーカスレンズに偏向装置の発生する磁界により生じる垂直方向の偏向収差を軽減する作用をもたせ、第３電極の第４電極側の面、第４電極および第５電極の第４電極側の面には垂直方向よりも水平方向に長い横長孔からなる電子ビーム通過孔を形成して、サブレンズに水平方向の焦点距離が垂直方向よりも長い非点収差をもたせ、第５電極の第６電極側の面および第６電極の第５電極側の面には水平方向よりも垂直方向に長い縦長孔からなる電子ビーム通過孔を形成して、主レンズに垂直方向の焦点距離が水平方向よりも長い非点収差をもたせ、電子銃全体で垂直方向の焦点距離が水平方向よりも長い非点収差をもつ構造とすると、従来生じた水平方向のハローおよび水平方向のビームスポットの増大をなくし、垂直方向周辺部でのいちじるしいオーバーフォーカスを軽減でき、かつ非点収差によるビームスポットの増大を改良でき、画面全面におけるビームスポットの均一性を改良できる。
【００２０】
【実施例】
以下、図面を参照してこの発明を実施例に基づいて説明する。
【００２１】
図４にその一実施例であるインライン型カラー受像管を示す。このカラー受像管は、パネル１０およびこのパネル１０に一体に接合されたファンネル１１からなる外囲器を有し、そのパネル１０の内面に、青、緑、赤に発光する垂直方向に細長いストライプ状の３色蛍光体層からなる蛍光体スクリーン１２が形成され、この蛍光体スクリーン１２に対向して、その内側に多数の電子ビーム通過孔の形成されたシャドウマスク１３が配置されている。一方、ファンネル１１のネック１４内に、同一水平面上を通るセンタービームおよび一対のサイドビームからなる一列配置の３電子ビーム１５を放出する下記電子銃１６が配置されている。そして、この電子銃１６から放出される３電子ビーム１５をファンネル１１の外側に装着された偏向装置１７の発生する水平、垂直偏向磁界により偏向して、上記蛍光体スクリーン１２を水平、垂直走査することにりカラー画像を表示する構造に形成されている。
【００２２】
上記電子銃１６は、クォドラポテンシャル型電子銃であり、図１に示すように、水平方向（Ｈ軸方向）に一列配置された３個のカソードＫ、これらカソードＫを各別に加熱する３個のヒーター（図示せず）および上記カソードＫから蛍光体スクリーンに向かって順次配置された第１乃至第６グリッドＧ１  〜Ｇ６  を有する。その第２グリッドＧ２  と第４グリッドＧ４  、第３グリッドＧ３  と第５グリッドＧ５  とは、それぞれ接続された構造に形成されている。
【００２３】
この電子銃１６では、第１、第２グリッドＧ１  ，Ｇ２  は、一体化構造の板状電極、第３乃至第６グリッドＧ３  〜Ｇ６  は、筒状電極または筒状電極と板状電極との組合わせからなる。これら各グリッドＧ１  〜Ｇ６  には、それぞれ３個のカソードＫに対応して水平方向に３個の電子ビーム通過孔が一列配置に形成されている。その第１グリッドＧ１  の電子ビーム通過孔は真円である。第２グリッドＧ２  の電子ビーム通過孔は、図２に示すように、第１グリッドＧ１  側の電子ビーム通過孔１９は真円であるが、第３グリッドＧ３  側の電子ビーム通過孔２０は水平方向に長い横長スリット孔となっている。この横長スリット孔は、図７に示した従来のクォドラポテンシャル型電子銃のそれよりも浅く形成されている。第３グリッドＧ３  の第２グリッドＧ２  側の電子ビーム通過孔は真円であるが、図３（ａ）に示すように、第３グリッドＧ３  の第４グリッドＧ４  側の電子ビーム通過孔２１は、垂直方向よりも水平方向に長い横長孔となっている。第４グリッドＧ４  および第５グリッドＧ５  の第４グリッドＧ４  側の電子ビーム通過孔も、上記第３グリッドＧ３  の第４グリッドＧ４  側の電子ビーム通過孔２１と同じく横長孔となっているが、図３（ｂ）に示すように、第５グリッドＧ５  の第６グリッドＧ６  側の電子ビーム通過孔２２は、水平方向よりも垂直方向に長い縦長孔となっている。第６グリッドＧ６  の第５グリッドＧ５  側の電子ビーム通過孔も、第５グリッドＧ５  の第６グリッドＧ６  側の電子ビーム通過孔２２と同じく縦長孔となっているが、第６グリッドＧ６  の蛍光体スクリーン側の電子ビーム通過孔は真円となっている。
【００２４】
この電子銃では、カソードＫおよびこのカソードＫに順次隣接する第１、第２グリッドＧ１  ，Ｇ２  により、カソードＫからの電子放出を制御し、かつ放出された電子を集束して電子ビームを形成する電子ビーム発生部ＧＥが形成され、第２、第３グリッドＧ２  ，Ｇ３  により、上記電子ビーム発生部ＧＥからの電子ビームを予備集束するプリフォーカスレンズＰＬが形成され、第３乃至第５グリッドＧ３  〜Ｇ５  により、上記プリフォーカスレンズＰＬにより予備集束された電子ビームをさらに予備集束するサブレンズＳＬが形成され、第５、第６グリッドＧ５  ，Ｇ６  により、上記サブレンズＳＬにより予備集束された電子ビームを最終的に蛍光体スクリーン上に集束する主レンズＭＬが形成される。
【００２５】
この場合、上記サブレンズＳＬは、第３グリッドＧ３  の第４グリッドＧ４  側の電子ビーム通過孔、第４グリッドＧ４  および第５グリッドＧ５  の第４グリッドＧ４  側の電子ビーム通過孔がそれぞれ水平方向に長い横長孔であるため、水平方向よりも垂直方向の集束作用が強い非点収差をもち、これに対して主レンズＭＬは、第５グリッドＧ５  の第６グリッドＧ６  側の電子ビーム通過孔および第６グリッドＧ６  の第５グリッドＧ５  側の電子ビーム通過孔がそれぞれ縦長孔であるため、垂直方向よりも水平方向の集束作用が強い非点収差をもつ。特にこの電子銃では、主レンズＭＬの非点収差がサブレンズＳＬの非点収差よりも大きくなるように、第５グリッドＧ５  の第６グリッドＧ６  側の電子ビーム通過孔および第６グリッドＧ６  の第５グリッドＧ５  側の電子ビーム通過孔が設定されている。それにより、電子銃全体では、垂直方向よりも水平方向の集束作用が強い非点収差をもつものとなっている。
【００２６】
このように電子銃を構成すると、電子ビーム発生部ＧＥからの電子ビームは、第２グリッドＧ２  の第３グリッドＧ３  側の電子ビーム通過孔が水平方向に長い横長スリット孔となっているため、プリフォーカスレンズＰＬで水平方向よりも垂直方向に強く集束され、垂直方向よりも水平方向に長い横長の断面形状となり、偏向装置の発生する磁界により生ずる垂直方向の偏向収差を軽減するものとなる。さらに第３グリッドＧ３  に印加されるフォーカス電圧に対するビームスポットの変化が垂直方向には緩やかに、水平方向には急になる。つぎのサブレンズＳＬでは、第３グリッドＧ３  の第４グリッドＧ４  側の電子ビーム通過孔、第４グリッドＧ４  および第５グリッドＧ５  の第４グリッドＧ４  側の電子ビーム通過孔がそれぞれ水平方向に長い横長孔であるため、水平方向よりも垂直方向の集束作用が強い非点収差が生ずる。そのため、上記プリフォーカスレンズＰＬにより集束された電子ビームの横長断面形状は、さらにこのサブレンズＳＬで助長され、垂直方向の偏向収差をさらに軽減するものとなる。つぎの主レンズＭＬでは、第５グリッドＧ５  の第６グリッドＧ６  側の電子ビーム通過孔および第６グリッドＧ６  の第５グリッドＧ５  側の電子ビーム通過孔がそれぞれ垂直方向に長い縦長孔であるため、垂直方向よりも水平方向の集束作用が強い非点収差が生ずる。しかもこの主レンズＭＬの非点収差は、サブレンズで生じる逆の非点収差よりも大きく設定されているため、電子銃全体では、垂直方向よりも水平方向の集束作用が強い非点収差をもつようになる。
【００２７】
そこで、このような電子銃を備えるカラー受像管の画面の中央部と周辺部について、ビームスポットの水平、垂直方向に対するフォーカス電圧について考察すると、ビームスポットの水平方向については、画面周辺部では、偏向装置の発生する非斉一磁界の発散作用によるアンダーフォーカスと電子銃から蛍光体スクリーンまでの距離の増大によるオーバーフォーカスとが補償されるため、画面中央部および周辺部でのフォーカス電圧はほぼ同じとなる。一方、垂直方向については、画面中央部では、電子銃全体が垂直方向よりも水平方向の集束作用が強い非点収差をもつため、水平方向のフォーカス電圧よりも低くなる。これに対して画面周辺部では、非斉一磁界による集束作用と蛍光体スクリーンまでの距離の増大によるオーバーフォーカスとによりいちじるしくオーバーフォーカスとなり、水平方向のフォーカス電圧よりも高くなる。しかしプリフォーカスレンズＰＬとサブレンズＳＬとによる偏向収差の軽減と電子銃１６全体の垂直方向よりも水平方向の集束作用が強い非点収差とにより、その度合いは軽減される。
【００２８】
したがってフォーカス電圧を水平方向のフォーカス電圧に合せたとすると、垂直方向のフォーカス電圧は、画面中央部ではアンダーフォーカス、画面周辺部ではオーバーフォーカスになるが、フォーカス電圧に対する垂直方向のビームスポットの変化は緩やかなため、ビームスポットの劣化の度合いは小さい。
【００２９】
さらにこの電子銃１６では、サブレンズＳＬにより、プリフォーカスレンズＰＬにより横長断面形状に集束された電子ビームをさらに横長断面形状に助長して、垂直方向の偏向収差を大きく軽減するため、水平方向のフォーカス電圧と画面周辺部での垂直方向のフォーカス電圧との差が小さくなる。そのため、垂直方向のフォーカス電圧に対する垂直方向のビームスポットの変化率をあまり小さくする必要がなく、かつ電子ビームの横長断面形状をサブレンズＳＬで助長するため、プリフォーカスレンズＰＬの第２グリッドＧ２  の横長スリット孔を浅くすることができる。その結果、従来プリフォーカスレンズおよびサブレンズで生じた水平方向の球面収差を軽減して、水平方向のハローをなくすことができる。またフォーカス電圧に対する水平方向のビームスポットの変化も緩やかになるため、水平方向のフォーカス電圧と画面全面におけるビームスポットの均一性を考慮したフォーカス電圧とのずれによるビームスポットの増大を解消でき、画面全面にわたり良好な解像度が得られる。
【００３０】
すなわち、電子銃１６を上記のように構成して、画面全面におけるビームスポットの均一性を考慮したフォーカス電圧に合せても、従来生じたハローおよび水平方向のビームスポットの増大をまねくことなく、垂直方向周辺部でのいちじるしいオーバーフォーカスを軽減でき、かつ非点収差によるビームスポットの増大をなくすことができる。その結果、画面周辺部における解像度のいちじるしい劣化を軽減でき、画面全面でのビームスポットの均一性を向上させることができる。
【００３１】
さらに第２グリッドＧ２  の横長スリット孔を浅くすることができるため、電極精度のばらつきを少なくでき、安定した量産が可能となる。
【００３２】
なお、上記実施例では、一列配置の３電子ビームを放出する電子銃を備えるインライン型カラー受像管について説明したが、この発明はデルタ配置の３電子ビームを放出する電子銃を備えるカラー受像管にも適用できる。また３電子ビームを放出する電子銃を備えるカラー受像管ばかりでなく、白黒受像管などの単電子ビームを放出する電子銃を有する陰極線管にも適用可能である。
【００３３】
【発明の効果】
カソードおよびこのカソードから蛍光体スクリーン方向に順次配置された第１乃至第６電極を有し、カソードおよび第１、第２電極により電子ビーム発生部、第２、第３電極により電子ビーム発生部からの電子ビームを予備集束するプリフォーカスレンズ、第３乃至第５電極によりプリフォーカスレンズにより予備集束された電子ビームをさらに予備集束するサブレンズおよび第５、第６電極によりサブレンズにより予備集束された電子ビームを最終的に蛍光体スクリーン上に集束する主レンズを形成する電子銃を備え、この電子銃から放出される電子ビームを偏向装置の発生する水平、垂直偏向磁界により偏向して蛍光体スクリーンを走査する陰極線管において、第２電極には第１電極側の面に形成された円形孔とこの円形孔を取囲むように第３電極側の面に形成された垂直方向よりも水平方向に長い横長孔とからなる電子ビーム通過孔が形成され、この横長孔からなる電子ビーム通過孔によりプリフォーカスレンズは偏向装置の発生する磁界により生じる垂直方向の偏向収差を軽減する作用をもち、第３電極の第４電極側の面、第４電極および第５電極の第４電極側の面には垂直方向よりも水平方向に長い横長孔からなる電子ビーム通過孔が形成され、これら横長孔からなる電子ビーム通過孔によりサブレンズは水平方向の焦点距離が垂直方向よりも長い非点収差をもち、第５電極の第６電極側の面および第６電極の第５電極側の面には水平方向よりも垂直方向に長い縦長孔からなる電子ビーム通過孔が形成され、これら縦長孔からなる電子ビーム通過孔により主レンズは垂直方向の焦点距離が水平方向よりも長い非点収差をもち、電子銃全体では垂直方向の焦点距離が水平方向よりも長い非点収差をもつ構造とすると、従来生じた水平方向のハローおよび水平方向のビームスポットの増大をなくし、垂直方向周辺部でのいちじるしいオーバーフォーカスを軽減でき、かつ非点収差によるビームスポットの増大を改良できるため、画面周辺部の解像度のいちじるしい劣化が軽減され、画面全面のビームスポットの均一性を改良できる。また電極精度のばらつきを小さくでき、安定した量産が可能となるなどの効果が得られる。
【図面の簡単な説明】
【図１】この発明の一実施例であるインライン型カラー受像管の電子銃の構成を示す図である。
【図２】上記電子銃の第２グリッドの電子ビーム通過孔の形状を示す図である。
【図３】図３（ａ）は上記電子銃の第３グリッドの第４グリッド側の電子ビーム通過孔の形状を示す図、図３（ｂ）は第５グリッドの第６グリッド側の電子ビーム通過孔の形状を示す図である。
【図４】この発明の一実施例であるインライン型カラー受像管の構成を示す図である。
【図５】図５（ａ）はピンクッション型水平偏向磁界を示す図、図５（ｂ）はバレル型垂直偏向磁界を示す図である。
【図６】画面上のビームスポットの形状を示す図である。
【図７】従来のインライン型カラー受像管の電子銃の構成を示す図である。
【符号の説明】
１２…蛍光体スクリーン
１５…３電子ビーム
１６…電子銃
１７…偏向装置
１９…電子ビーム通過孔
２０…電子ビーム通過孔
２１…電子ビーム通過孔
２２…電子ビーム通過孔
Ｇ１  …第１グリッド
Ｇ２  …第２グリッド
Ｇ３  …第３グリッド
Ｇ４  …第４グリッド
Ｇ５  …第５グリッド
Ｇ６  …第６グリッド
ＧＥ…電子ビーム発生部
ＭＬ…主レンズ
ＰＬ…プリフォーカスレンズ
ＳＬ…サブレンズ
Ｋ…カソード
【図１】
0003598138.tif 000002
【図２】
0003598138.tif 000003
【図３】
0003598138.tif 000004
【図４】
0003598138.tif 000005
【図５】
0003598138.tif 000006
【図６】
0003598138.tif 000007
【図７】
0003598138.tif 000008